(57)【特許請求の範囲】
【請求項１】
係合部を有するケージを設けた筺体の、前記ケージに装着される光モジュールが挿入される開口に取り付けられ、前記光モジュールが接続される光コネクタを収容するケースと係合して前記開口を密閉する防水アダプタであって、
前記ケージへの装着位置にある前記光モジュールが前記係合部によって前記ケージと係合することを抑止するように前記係合部に作用する規制部材を有することを特徴とする防水アダプタ。
【請求項２】
前記規制部材は、前記係合部の姿勢を、前記ケージ内に装着された光モジュールに設けられた突出部と前記係合部に設けられた係合孔とが係合しない姿勢に規制することにより、前記光モジュールが前記ケージと係合することを抑止することを特徴とする請求項１に記載の防水アダプタ。
【請求項３】
前記ケージの前記係合部が、前記係合孔が設けられている可動片であり、
複数の取り付け孔を有するフランジ部であって、前記筐体の内面側から外面側へ突出させた複数のボルトをそれぞれ前記複数の取り付け孔を通した状態で、防水アダプタの前記規制部材の端部を前記ケージの開口部から前記ケージ内に入れることができるように、且つ、前記ケージ内に前記規制部材の前記端部を入れた防水アダプタの前記筐体に対する位置を調整することにより、前記可動片の姿勢が前記規制部材によって前記ケージ内に収容された光モジュールの突出部と前記係合孔とが係合しない姿勢に規制できるように、各複数の取り付け孔の形状が定められているフランジ部
を、さらに備える
ことを特徴とする請求項２に記載の防水アダプタ。
【請求項４】
前記規制部材はフィルム状であり、前記係合部に設けられた係合孔の、光モジュールと対向する側の面を覆うことにより、前記光モジュールが前記ケージと係合することを抑止することを特徴とする請求項１に記載の防水アダプタ。
【請求項５】
光コネクタを含む防水コネクタと係合する防水アダプタが筐体の開口に取り付けられている装置内に前記防水アダプタの開口部からアクセス可能なように配置された、光モジュ
ールが備える突出部と係合することによって前記光モジュールを係止する係合孔を備えたケージに、光モジュールを取り付ける方法であって、
前記防水アダプタに対して取り付けられた部材によって前記ケージの前記係合孔を塞ぎ、
前記係合孔が前記部材により塞がれている状態で、前記防水コネクタの前記光コネクタに取り付けられた前記光モジュールを前記防水アダプタの前記開口部から挿入することにより前記光モジュールを前記ケージに取り付ける
ことを特徴とする光モジュール取り付け方法。
【発明の詳細な説明】
【技術分野】
【０００１】
本発明は、防水アダプタと光モジュール取り付け方法とに関する。
【背景技術】
【０００２】
屋外に設置される、光通信を行う情報処理装置の中には、汎用のＳＦＰ(Small Form-Factor Pluggable)光モジュール（以下、汎用光モジュールと表記する）を取り付けて使用
するもの（中継装置等）が存在している。
【０００３】
以下、図１〜図５を用いて、そのような情報処理装置（以下、屋外用光通信装置と表記する）の汎用光モジュール７０関連の構成を説明する。なお、以下の説明において、上、下とは、各図における上、下のことである。
【０００４】
図１に示してあるように、屋外用光通信装置の筐体８０の、汎用光モジュール７０の挿入箇所には、開口部が設けられている。そして、当該開口部には、防水アダプタ５０が接着剤／ボルト・ナット等により固定されている。
【０００５】
また、屋外用光通信装置内には、ＣＰＵ等（図示略）をプリント配線板上に実装したプリント基板８２が設けられている。このプリント基板８２上の、防水アダプタ５０の取り付け位置等から定められた位置には、汎用光モジュール７０の電極端子７３とプリント基板８２上の回路（ＣＰＵ等）とを電気的に接続するためのコネクタ８４が取り付けられている。
【０００６】
また、プリント基板８２上には、屋外用光通信装置への汎用光モジュール７０のセット時に、汎用光モジュール７０のガイドレールとして機能するケージ８６も取り付けられている。
【０００７】
図２（及び図１）に示してあるように、このケージ８６の、汎用光モジュール７０の挿入口側の下面には、汎用光モジュール７０の突出部７１と係合する形状の係合孔８６ａを有する可動片８６ｂが設けられている。ここで、汎用光モジュール７０の突出部７１とは、汎用光モジュール７０の下面７０ａの所定位置に設けられている部材のことである。この突出部７１は、図３に示してあるように、通常は汎用光モジュール７０の下面７０ａから突出しており（図３Ａ）、レバー７２の操作（図３Ｂ）により汎用光モジュール７０内から抜き取りできる（図３Ｃ）ものとなっている。
【０００８】
一方、屋外用光通信装置用の光ファイバケーブル（つまり、防水仕様の光ファイバケーブル）の端部には、図４及び図５にその構成を示した防水コネクタ６０が取り付けられている。
【０００９】
この防水コネクタ６０が備える光コネクタ６１は、汎用光モジュール７０用のＬＣ(Lucent Connectors)コネクタである。光コネクタ６１は、自身と接続する汎用光モジュール
７０に係止されるためのラッチ部６１ａを有している。
【００１０】
制御機構６２は、防水コネクタ６０の防水アダプタ５０からの取り外し時にラッチ部７１ａによる係止を解除できるようにするために、防水コネクタ６０に組み込まれている機構である。より具体的には、この制御機構６２は、以下の理由により防水コネクタ６０に組み込まれている機構となっている。
【００１１】
上記した構成から明らかなように、汎用光モジュール７０を屋外用光通信装置のケージ８６内に収容すると、汎用光モジュール７０の突出部７１と、ケージ８６の可動片８６ｂの係止孔８６ａが係合する（図３Ａ参照）。汎用光モジュール７０は、レバー７２を操作しないと屋外用光通信装置（ケージ８６）から取り出せない状態となる。
【００１２】
一方、防水コネクタ６０内の光コネクタ６１は、汎用光モジュール７０に係止されるためのラッチ部６１ａを備えている。汎用光モジュール７０をセット済みの屋外用光通信装置の防水アダプタ５０に防水コネクタ６０を取り付けると、光コネクタ６１のラッチ部６１ａによって汎用光モジュール７０に光コネクタ６１が固定されることになる。そして、汎用光モジュール７０がケージ８６に対して固定されているので、防水アダプタ５０に防水コネクタ６０を取り付けると、結局、光コネクタ６１が、汎用光モジュール７０を介してケージ８６に固定されている状態が形成されることになる。
【００１３】
そのような状態では、防水コネクタ６０の結合部材６５（内側にねじが切ってある部材）を回転させることにより結合部材６５・防水アダプタ５０間の嵌合を解いても、防水コネクタ６０を屋外用光通信装置から取り外すことができない。
【００１４】
そのため、防水コネクタ６０に制御機構６２を組み込むことによって、防水コネクタ６０の防水アダプタ５０からの取り外し時に、ラッチ部６１ａによる係止を解除できる（光コネクタ６１を汎用光モジュール７０から抜き出せる）ようにしているのである。
【００１５】
なお、光モジュールとしては、上記したＳＦＰ光モジュールとは異なる構成を有するもの（例えば、特許文献１参照）も存在している。
【先行技術文献】
【特許文献】
【００１６】
【特許文献１】特開２００５−４３７５７号公報
【発明の概要】
【発明が解決しようとする課題】
【００１７】
上記したように、屋外用光通信装置用の既存の防水装置（防水アダプタ５０、防水コネクタ６０を含む装置）は、防水コネクタ６０の取り外しのために制御機構６２を備えていなければならないものとなっている。そのため、防水コネクタ６０のサイズが大きくなると共に製造にコストがかかるものとなっている。
【００１８】
そこで、開示の技術の課題は、防水コネクタが容易に取り外せる小型で安価な防水装置を提供することにある。
【課題を解決するための手段】
【００１９】
上記した第１の課題を解決するために、開示の技術の一態様の、情報処理装置の筐体の開口部に取り付けられる防水アダプタは、
筺体に備えられたケージに対して装着状態にある光モジュールが、当該ケージと係合することを抑止する規制部材を、備える。
【発明の効果】
【００２０】
上記構成を有する防水アダプタ、上記内容（手順）の光モジュール取り付け方法を用いておけば、防水アダプタからの防水コネクタの取り外しが容易な情報処理装置を実現できる。
【００２１】
また、上記構成を有する防水装置を用いておけば、防水アダプタからの防水コネクタの
取り外しが容易な情報処理装置を実現できると共に、防水コネクタ自体や防水コネクタ付き光ファイバケーブルをより低コストで製造できることになる。
【図面の簡単な説明】
【００２２】
【図１】図１は、既存の屋外用光通信装置の、汎用光モジュール関連の部分の構成の説明図である。
【図２】図２は、既存の屋外用光通信装置に用いられているケージの説明図である。
【図３Ａ】図３Ａは、汎用光モジュールの突出部とケージの係合孔との間の関係の説明図である。
【図３Ｂ】図３Ｂは、突出部を汎用光モジュール内に収容するためのレバーの操作方法の説明図である。
【図３Ｃ】図３Ｃは、突出部を内部に収容した汎用光モジュールとケージの係合孔との間の関係の説明図である。
【図４】図４は、既存の光ファイバケーブルの端部に設けられている防水コネクタの構成を説明するための平面図である。
【図５】図５は、既存の光ファイバケーブルの端部に設けられている防水コネクタの構成の説明図である。
【図６】図６は、第１実施形態に係る防水アダプタの側面図である。
【図７】図７は、第１実施形態に係る防水アダプタの正面図である。
【図８】図８は、第１実施形態に係る防水アダプタの取り付け孔のサイズ、及び、第１実施形態に係る防水アダプタの情報処理装置への取り付け法の説明図である。
【図９】図９は、第１実施形態に係る防水アダプタの情報処理装置への取り付け法の説明図である。
【図１０】図１０は、第１実施形態に係る防水アダプタの、位置調整後のケージとの位置関係の説明図である。
【図１１】図１１は、第１実施形態に係る防水コネクタの構成の説明図である。
【図１２】図１２は、第１実施形態に係る防水コネクタの構成を説明するための平面図である。
【図１３】図１３は、第１実施形態に係る情報処理装置の、第１実施形態に係る防水アダプタ関連の部分の構成の説明図である。
【図１４】図１４は、第１実施形態に係る情報処理装置の防水アダプタに第１実施形態に係る防水コネクタを接続した場合における各部の状況の説明図である。
【図１５】図１５は、第１実施形態に係る情報処理装置の防水アダプタから第１実施形態に係る防水コネクタを外した場合における各部の状況の説明図である。
【図１６】図１６は、第２実施形態に係る防水アダプタの構成の説明図である。
【図１７】図１７は、第２実施形態に係る防水アダプタが備える係合孔封止部材１７の説明図である。
【発明を実施するための形態】
【００２３】
以下、図面を参照して、本発明の幾つかの実施形態を説明する。なお、以下で説明する各実施形態は本発明の一例に過ぎず、本発明は、各実施形態の構成に限定されないものである。
【００２４】
《第１実施形態》
まず、図６〜図１０を用いて、本発明の第１実施形態に係る防水アダプタ１０の構成を説明する。なお、本実施形態に係る防水アダプタ１０が取り付けられる情報処理装置（以下、第１実施形態に係る情報処理装置と表記する）は、上記した屋外用光通信装置と本質的には同じものである。そのため、以下では、第１実施形態に係る情報処理装置の各構成要素については、屋外用光通信装置の対応する構成要素と同じ符号を付することによって、その詳細説明を省略する。
【００２５】
図６に、第１実施形態に係る防水アダプタ１０の側面図を示し、図７に、第１実施形態に係る防水アダプタ１０の正面図（防水コネクタ２０（詳細は後述）が取り付けられる側から見た図）を示す。
【００２６】
本実施形態に係る防水アダプタ１０は、ボルト・ナットで情報処理装置の筐体８０（図８参照）に取り付けられるタイプの防水アダプタである。図７に示してあるように、防水アダプタ１０は、４つの取り付け孔１１ａが設けられているフランジ部１１を備えている。
【００２７】
このフランジ部１１に設けられている各取り付け孔１１ａは、図８に示してあるように、その直径が、防水アダプタ１０の固定用ボルト（及び情報処理装置の筐体８０に設けられている貫通孔）の直径よりも大きな貫通孔（詳細は後述）である。
【００２８】
また、防水アダプタ１０（図８）は、シール用部材３２を介して防水コネクタ２０と対向する部分である対向部１２の厚みが、防水アダプタ５０のそれよりも厚い形状（詳細は後述）を有している。
【００２９】
さらに、防水アダプタ１０（図６、図７）は、情報処理装置側（図６における左側）に突出したケージ底面押し下げ板１５を備えている。
【００３０】
このケージ底面押し下げ板１５は、その幅（図７における左右方向の長さ）が、ケージ８６の可動片８６ｂ（図２参照）の幅よりも狭い部材である。また、ケージ底面押し下げ板１５は、防水アダプタ１０と情報処理装置の筐体８０とを図９に示したようにシール用部材３１をそれらの間に挟む形でボルト等で固定した場合に、ケージ底面押し下げ板１５の先端がケージ８６内に入る形状を有している。
【００３１】
そして、本実施形態に係る防水アダプタ１０は、筐体８０にボルト等で仮止めした状態でその位置を調整することにより、図１０に示した状態を形成できるように各取り付け孔１１ａの直径及び位置を定めたものとなっている。
【００３２】
より具体的には、各取り付け孔１１ａの直径及び位置は、筐体８０の内面側から外面側へ突出させた複数のボルトを各取り付け孔１１ａに通した状態で、ケージ底面押し下げ板１５の先端をケージ８６内に入れることが出来るように定められている。また、各取り付け孔１１ａの直径及び位置は、ケージ底面押し下げ板１５の先端をケージ８６内に入れた防水アダプタ１０の位置調整により、ケージ底面押し下げ板１５が可動片８６ｂを押し下げている状態（図１０）を形成できるようにも定められている。
【００３３】
次に、図１１及び図１２を用いて、本発明の第１実施形態に係る防水コネクタ２０（防水アダプタ１０用のものとして開発した防水コネクタ２０）の構成を説明する。
【００３４】
図１１及び図１２に示してあるように、本実施形態に係る防水コネクタ２０は、いわば、防水コネクタ６０（図４及び図５参照）から制御機構６２を取り除いたコネクタである。
【００３５】
防水コネクタ２０においては、光コネクタ２１のラッチ部２１ａを指で操作可能となるように、本体部２０ａの先端面（図１１における左側の面）からの光コネクタ２１の突出長さが防水コネクタ６０のそれよりも長くなっている。そのため、防水アダプタ１０（図８）では、前述のように、対向部１２の厚みが防止アダプタ５０のそれよりも厚い。
【００３６】
以上、説明したように、本実施形態に係る防水アダプタ１０は、情報処理装置内のケージ８６の可動片８６ｂの姿勢を、係合孔８６ａが汎用光モジュール７０の突出部７１と係合しない姿勢に規制（制御）するケージ底面押し下げ板１５を備えている。
【００３７】
従って、防水アダプタ１０が用いられている第１実施形態に係る情報処理装置では、汎用光モジュール７０の交換を容易に行えることになる。
【００３８】
具体的には、第１実施形態に係る情報処理装置に汎用光モジュール７０が収容された状態において、図１３に示したように、突出部７１とケージ８６の係合孔８６ａとが係合していない。また、その後、防水アダプタ１０に防水コネクタ２０を取り付けた場合には、図１４に示したように、光コネクタ２１が汎用光モジュール７０に挿入され、光コネクタ２１のラッチ部２１ａにより汎用光モジュール７０に光コネクタ２１が固定されることになる。
【００３９】
ただし、汎用光モジュール７０はケージ８６に対して固定されていない。そのため、結合部材２５・防水アダプタ１０間の嵌合を解いた上で、防水コネクタ２０を防水アダプタ１０から引き抜けば、図１５に示したように、汎用光モジュール７０が防水コネクタ２０と共に情報処理装置から外れることになる。
【００４０】
また、防水コネクタ２０は、光コネクタ２１のラッチ部２１ａを指で操作可能な構成／形状を有している。従って、ラッチ部２１ａを指で操作すれば、防水コネクタ２０の光コネクタ２１から汎用光モジュール７０を取り外すことができることになる。
【００４１】
このように、本実施形態に係る防水アダプタ１０は、汎用光モジュール７０の交換を容易に行える情報処理装置を実現できるものとなっている。しかも、防水アダプタ１０は、情報処理装置側の構成変更を必要としないものである。従って、この防水アダプタ１０を用いておけば、屋内用の装置を屋外用のものに変更することが容易に行えることにもなる。
【００４２】
また、防水アダプタ１０用の防水コネクタ２０（図１１参照）は、制御機構６２が不必要な分、防水コネクタ６０（図５参照）よりも小型で且つ安価に製造できるものとなっている。
【００４３】
《第２実施形態》
以下、図１６及び図１７を用いて、本発明の第２実施形態に係る防水アダプタ１０ｂの構成を説明する。なお、以下では、防水アダプタ１０ｂの、防水アダプタ１０と本質的には同じ構成要素については、同じ符号を付することによって、その詳細説明を省略することにする。
【００４４】
本実施形態に係る防水アダプタ１０ｂは、上記した防水コネクタ２０と組み合わせて使用されるものである。
【００４５】
図１６に示してあるように、防水アダプタ１０ｂは、防水アダプタ１０（図１３参照）のケージ底面押し下げ板１５を係合孔封止部材１７に代えたものとなっている。また、防水アダプタ１０ｂは、取り付け孔１１ａを有するフランジ部１１ではなく、取り付け孔１１ａを有さないフランジ部１１ｂ（接着剤３５にて筐体８０に対して固定されるフランジ部１１ｂ）を備えたものともなっている。
【００４６】
係合孔封止部材１７は、図１７に示してあるように、ケージ８６の係合孔８６ａを覆える形状（長さ）を有するフィルム状部材である。係合孔封止部材１７の一端は、防水アダ
プタ１０ｂの対向部１２の最内周部分（より正確には、防水コネクタ２０の接続により変形したシール用部材３２と接しない部分）に固定されている。
【００４７】
要するに、この防水アダプタ１０ｂは、係合孔封止部材１７の先端をケージ８６内に差し込んでおけば、汎用光モジュール７０の突出部７１とケージ８６の係合孔８６ａとが係合しない形で汎用光モジュール７０をケージ８６内に収容できるものとなっている。
【００４８】
従って、この防水アダプタ１０ｂを用いておいても、防水アダプタ１０を用いた場合と同様に、汎用光モジュール７０の交換を容易に行える情報処理装置を実現できることになる。
【００４９】
また、防水アダプタ１０ｂは、防水アダプタ１０の筐体８０への取り付け時に必要とされる位置調整（図１０参照）が不要なものとなっている。従って、防水アダプタ１０ｂは、防水アダプタ１０よりも情報処理装置への取り付けが容易なものとなっていることにもなる。
【００５０】
《変形形態》
上記した各実施形態に係る技術は、各種の変形を行うことが出来る。例えば、防水コネクタ２０内の光コネクタ２１のラッチ部２１ａを指で操作可能なようにするために、対向部１２の厚みを調整するのではなく、情報処理装置内（プリント基板８２上）におけるケージ８６の位置を調整することもできる。また、防水コネクタ２０を、光コネクタ２１のラッチ部２１ａを指では操作できないもの（ラッチ部２１ａの操作にピンセット等の道具が必要とされるもの）に変形することもできる。
【００５１】
フランジ部１１の取り付け孔１１ａを大きくする代わりに、情報処理装置の筐体８０側の取り付け孔を大きくすることにより、防水アダプタ１０・情報処理装置間の相対位置調整が可能なようにすることも出来る。防水アダプタ１０、１０ｂを、上記したものとは異なる形状の可動片（例えば、ケージの底面とほぼ平行な可動片）を備えたケージ用のものに変形することも出来る。
【００５２】
また、防水アダプタ１０、１０ｂ、防水コネクタ２０を、バヨネットロック機構を採用したものや、単芯用のものに変形しても良いことなどは、当然のことである。
【００５３】
以上、開示した技術に関し、更に以下の付記を開示する。
【００５４】
（付記１）  係合部を有するケージを設けた筺体の、前記ケージに装着される光モジュールが挿入される開口に取り付けられ、前記光モジュールが接続される光コネクタを収容するケースと係合して前記開口部を密閉する防水アダプタであって、
前記ケージへの装着位置にある前記光モジュールが前記ケージと係合することを抑止する規制部材を有することを特徴とする防水アダプタ。
【００５５】
（付記２）  前記規制部材は、前記係合部の姿勢を、前記ケージ内に装着された光モジュールに設けられた突出部と前記係号部に設けられた係合孔とが係合しない姿勢に規制することにより、前記前記光モジュールが前記ケージと係合することを抑止することを特徴とする付記１に記載の防水アダプタ。
【００５６】
（付記３）  複数の取り付け孔を有するフランジ部であって、前記筐体の内面側から外面側へ突出させた複数のボルトをそれぞれ前記複数の取り付け孔を通した状態で、防水アダプタの前記規制部材の端部を前記ケージの開口部から前記ケージ内に入れることができるように、且つ、前記ケージ内に前記規制部材の前記端部を入れた防水アダプタの前記筐
体に対する位置を調整することにより、前記可動片の姿勢が前記規制部材によって前記ケージ内に収容された光モジュールの突出部と前記係合孔とが係合しない姿勢に規制できるように、各複数の取り付け孔の形状が定められているフランジ部
を、さらに備える
ことを特徴とする付記２に記載の防水アダプタ。
【００５７】
（付記４）  前記規制部材はフィルム状であり、前記可動片の前記係合部に設けられた係合孔の、光モジュールと対向する側の面を覆うことにより、前記光モジュールが前記ケージと係合することを抑止することを特徴とする付記１に記載の防水アダプタ。
【００５８】
（付記５）  筺体に設けられた、係合孔を備える係合部を有するケージに、光コネクタに接続された光モジュールを取り付ける方法であって、
前記ケージの収容空間に対向する側から前記係合孔を塞ぎ、  前記係合孔が塞がれた状態で、前記光モジュールを前記ケージに収容する
ことを特徴とする光モジュール取り付け方法。
【００５９】
（付記６）  筐体、
前記筐体の開口部に取り付けられているアダプタ、
光モジュールが接続された光コネクタを収容し、前記アダプタと係合して前記開口を密閉するケース、
係合部を有し、前記筐体の開口部から挿入された光モジュールを収容して保持するするケージ、及び、
前記ケージへの装着位置にある前記光モジュールが前記ケージと係合することを抑止する規制部材
を備えることを特徴とする情報処理装置。
【符号の説明】
【００６０】
１０、１０ｂ、５０    防水アダプタ
１１、１１ｂ    フランジ部
１１ａ    取り付け孔
１２    対向部
１５    ケージ底面押し下げ板
１７    係合孔封止部材
２０、６０    防水コネクタ
２０ａ    本体部
２１    光コネクタ
２１ａ    ラッチ部
２５    結合部材
３１、３２    シール用部材
６２    制御機構
７０    汎用光モジュール
７１    突出部
８０    筐体
８２    プリント基板
８４    コネクタ
８６    ケージ
８６ａ    係合孔
８６ｂ    可動片
【図１】
0005810747.tif 000002
【図２】
0005810747.tif 000003
【図３Ａ】
0005810747.tif 000004
【図３Ｂ】
0005810747.tif 000005
【図３Ｃ】
0005810747.tif 000006
【図４】
0005810747.tif 000007
【図５】
0005810747.tif 000008
【図６】
0005810747.tif 000009
【図７】
0005810747.tif 000010
【図８】
0005810747.tif 000011
【図９】
0005810747.tif 000012
【図１０】
0005810747.tif 000013
【図１１】
0005810747.tif 000014
【図１２】
0005810747.tif 000015
【図１３】
0005810747.tif 000016
【図１４】
0005810747.tif 000017
【図１５】
0005810747.tif 000018
【図１６】
0005810747.tif 000019
【図１７】
0005810747.tif 000020